(57)【要約】【課題】解決しようとする課題は、雨水の入水口から雀等が軒樋内に入り込み、巣を作ることがあるので、軒樋カバーの前方下部と軒樋の縁部分との間をさらに狭くすることができる軒樋カバー固定具を提供することが課題である。【解決手段】軒樋カバー係止辺に工夫を凝らすことにより、課題を解決する。軒樋カバー係止辺は、水上側から水下側に向かって斜め下方に延出する上辺部と、その先端部から内側下方に延出する下辺部とを有している。この下辺部は、先端部から内側下方に傾斜させられている下辺傾斜部を形成している。このように下辺傾斜部を形成することで課題を解決するのである。【選択図】        図１
2006328800.tif 000002
【特許請求の範囲】
【請求項１】
略垂直の面部に、軒樋カバーを取り付けることができる軒樋カバー係止辺が形成されており、
前記軒樋カバー係止辺は、
水上側から水下側に向かって斜め下方に延出する上辺部と
その先端部から内側下方に延出する下辺部とを有している
軒樋カバー固定具において、
前記下辺部は、先端部から内側下方に傾斜させられている下辺傾斜部を形成していることを特徴とする
軒樋カバー固定具。
【発明の詳細な説明】
【技術分野】
【０００１】
本発明は、軒樋カバーを取り付けるための軒樋カバー固定具に関するものである。
【背景技術】
【０００２】
従来の技術について、図２０に基づいて説明する（特許文献１参照）。これは、特開２００４−１８３４７４号公報に示されている軒樋取り付け金具である。鼻隠し等に軒樋取り付け金具を取り付けて、これに軒樋カバーと軒樋を取り付けるものである。
この軒樋取り付け金具の軒樋カバーＫを固定している部分についていうと、略垂直の面部３に、軒樋カバーＫを取り付けることができる軒樋カバー係止辺２が形成されている。
前記軒樋カバー係止辺２は水上側から水下側に向かって斜め下方に延出する上辺部２１と、その先端部２１２から斜め内側下方に延出する下辺部２２とを有している。この上辺部２１は水上側から水下側に向かって斜め下方に傾斜して延出しており、先端部２１２において円弧を形成し、該円弧の延長線上に、下辺部２２が斜め内側下方に湾曲状に延出している。
そして、上辺部２１には軒樋カバー後端係止部２３が、下辺部２２には軒樋カバー前端係止部２４がそれぞれ形成されている。
このような軒樋カバーを固定する構成が開示されており、言い換えると、略垂直の面部３に、軒樋カバーを取り付けることができる軒樋カバー係止辺２が形成されており、軒樋カバー係止辺２は、水上側から水下側に向かって斜め下方に延出する上辺部２１とその先端部２１２から内側下方に延出する下辺部２２とを有している軒樋カバー固定具の構成が開示されている。
【０００３】
【特許文献１】特開２００４−１８３４７４号公報（図１１）
【発明の開示】
【発明が解決しようとする課題】
【０００４】
図２０のように軒樋カバーの前方下部と軒樋の縁部分との間（つまり、軒樋への雨水の入水口）が広いと、雀等が軒樋Ｎ内に巣を作ることがある。
そこで、図２０の軒樋取り付け金具を、軒樋カバーを固定する部分（以下軒樋カバー固定具１と称する）と軒樋を固定する部分の二部材に分け、軒樋カバーの前方下部と軒樋の縁部分との間をできるだけ狭いものにしようと工夫する例を図２１より説明する。図２１（イ）（ロ）（ハ）は軒樋カバー固定具１に軒樋カバーＫを取り付ける手順を表している。
軒樋カバーＫの軒樋カバー水下端部Ｋ４は、通常、軒樋Ｎ内に雨水が入りやすいように水切りを兼ねているため、下方に突出して形成されている。
そして、下辺部２２と軒樋Ｎの縁部分との間は、少なくとも軒樋カバー水下端部Ｋ４が通過できる幅は空いていなくてはならない。
下辺部２２が軒樋カバー湾曲部Ｋ２に沿う湾曲状になっていると、軒樋カバーＫを軒樋カバー固定具に被せる際、下方に突出している軒樋カバー水下端部Ｋ４の最下端の軌跡は、下辺部２２よりもさらに低いところに円弧状に描かれる（図２１（ロ）参照）。下辺部２２と軒樋Ｎの縁部分との間は、軒樋カバー水下端部Ｋ４が下辺部２２に沿って弧を描いて移動することができる幅に設定される。つまり、図２１（ロ）に破線で示した軒樋カバー水下端部Ｋ４の最下端の軌跡よりも下に、さらに遊びを見込んで設定される。
【０００５】
図２１のように、軒樋カバーを固定する部分（軒樋カバー固定具１）と軒樋を固定する部分を別部材にして、軒樋カバーの前方下部と軒樋の縁部分との間（軒樋への雨水の入水口）をできるだけ狭いものにしようと工夫しても、軒樋カバー水下端部Ｋ４が弧を描いて移動することができる幅は必要である。
雀等が軒樋内に入り込み、巣を作ることを防ぐために、軒樋カバーの前方下部と軒樋の縁部分との間（軒樋への雨水の入水口）をさらに狭くすることができる軒樋カバー固定具を提供することが課題である。
【課題を解決するための手段】
【０００６】
前述の軒樋取り付け金具の軒樋カバー係止辺に工夫を凝らすことにより、課題を解決する。
軒樋カバー係止辺は、水上側から水下側に向かって斜め下方に延出する上辺部と、その先端部から内側下方に延出する下辺部とを有している。この下辺部は、先端部から内側下方に傾斜させられている下辺傾斜部を形成している。このように下辺傾斜部を形成することで課題を解決するのである。
【発明の効果】
【０００７】
本発明にかかる軒樋カバー固定具には、下辺傾斜部が形成されているため、軒樋カバーを軒樋カバー固定具に取り付ける際、下方に突出した軒樋カバー水下端部の最下端は、下辺傾斜部に沿って直線を描いて移動する。
このため、下辺傾斜部と軒樋の縁部分との間は、軒樋カバー水下端部の水切りの長さ分あれば軒樋カバー水下端部が通過できるので、軒樋カバー水下端部の水切りの長さに遊びを加えた分を見込んで設定すればよい。
つまり、下辺傾斜部を設けずに軒樋カバー水下端部が弧を描いて移動するように設定する場合よりも、軒樋カバー固定具の下辺部と軒樋の縁部分との間を、狭い幅にすることができる。その結果、軒樋カバーの前方下部と軒樋の縁部分との間（軒樋への雨水の入水口）をさらに狭くすることができ、雀等が軒樋Ｎ内に侵入しにくくなる。
このように、軒樋カバーの前方下部と軒樋の縁部分との間（軒樋への雨水の入水口）をさらに狭くすることができる軒樋カバー固定具を提供するするものである。
【０００８】
さらに本発明は、水下方向から軒樋カバーを軒樋カバー固定具に取り付けることができるという利点もある。
軒樋カバー固定具の下辺傾斜部に軒樋カバーの軒樋カバー水下端部を沿わせながら、軒樋カバー固定具の前部分に軒樋カバーの前部分をはめ込んでいく。その後、軒樋カバー後端を軒樋カバー後端係止部にはめ込むことで、水下方向から軒樋カバーを軒樋カバー固定具に取り付ける。
施工現場や作業者によっては、軒樋カバー固定具に軒樋カバーを取り付ける際、手前から取り付けたいという場合があるが、本発明はその要望にも応えることができるものである。
【発明を実施するための最良の形態】
【０００９】
軒樋カバー固定具はプレスにて成型できる形状にする。
軒樋カバー固定具に軒樋吊り部を形成すれば、鼻隠し等に軒樋カバー固定具を取り付けて、これに軒樋カバーと軒樋を取り付けることができる。
また、軒樋カバー固定具に角度調整固定具を組み合わせるならば、これらの組み合わせ角度を調整することで、鼻隠しの勾配に対応することができる。
【実施例１】
【００１０】
本発明第一実施例について、図１〜図５に基づいて説明する。
図１と図２は軒樋カバー固定具１の斜視図であり、図１は左側面側から見たところ、図２は右側面側から見たところである。図３は、鼻隠しＨに取り付けられた軒樋カバー固定具１に、軒樋カバーＫを取り付けた状態の説明図である。この軒樋カバー固定具１を取り付けた下には軒樋Ｎが軒樋吊り部５で鼻隠しＨに取り付けられる一例を示している。ここに示す軒樋吊り部５の構成は一例にすぎず、当業者であれば状況に応じて設計変更を加えていくことができる。図４と図５は軒樋カバー固定具１に軒樋カバーＫを被せていく様子を表す図である。
【００１１】
軒樋カバーＫは、軒樋カバー上面Ｋ１の後端には、軒樋カバー固定具１の軒樋カバー後端係止部２３に係合する軒樋カバー後端Ｋ３が形成されている。そして、軒樋カバー上面Ｋ１の水下側は円弧を描いた軒樋カバー湾曲部Ｋ２となっており、水下端は軒樋Ｎ内に雨水が入りやすいように水切りを兼ねて下方に突出形成されている軒樋カバー水下端部Ｋ４となっている。
【００１２】
軒樋Ｎは一例として示しているが、縁部分が軒樋吊り部５に取り付けられて、軒樋吊り部５を介して鼻隠しＨ等に固定されている。
【００１３】
軒樋カバー固定具１は、図１と図２に見られるように、略垂直の面部３と、面部３から略直角に延出している固定部４とを有している。
この固定部４は軒樋カバー固定具１を釘等の止着具にて鼻隠し等に取り付けるための部位である。
面部３には、軒樋カバーを取り付けることができる軒樋カバー係止辺２が形成されている。
この軒樋カバー係止辺２は、水上側から水下側にかけて斜め下方に延出する上辺部２１とその先端部２１２から内側下方に延出する下辺部２２とを有している。図３に示したように、軒樋カバーＫを被せたとき、上辺部２１は、水上側から先端部２１２にかけて軒樋カバーＫの裏面に沿うよう、形成されている。下辺部２２は先端部２１２から内側下方に傾斜させられている下辺傾斜部２２１が形成されている。このため、軒樋カバーＫを被せたとき、図３に示したように、下辺傾斜部２２１と軒樋カバー湾曲部Ｋ２との間に隙間ができる。
軒樋カバー係止辺２の水上側端部には軒樋カバー後端係止部２３が形成されている。
【００１４】
このように構成された軒樋カバー固定具１に軒樋カバーＫを取り付ける様子を図４に基づいて説明する。
軒樋カバーＫを軒樋カバー固定具１にはめる際、図４（イ）のように軒樋カバー後端Ｋ３を軒樋カバー後端係止部２３に引っ掛ける。そして、軒樋カバーＫを軒樋カバー固定具１にはめるために上から押すと、軒樋カバー水下端部Ｋ４は上辺部２１に沿って移動し、軒樋カバー水下端部Ｋ４が軒樋カバー係止辺２の先端部２１２に達した（図４（ロ））後、スプリングバックの力で軒樋カバーＫは元の状態に戻りながら下辺傾斜部２２１に沿って斜め下方に滑り（図４（ハ））軒樋カバー係止辺の下辺傾斜部２２１に被さる（図４（ニ））。
【００１５】
このとき、下辺傾斜部２２１が形成されているため、軒樋カバー水下端部Ｋ４は下辺傾斜部２２１に沿って斜め下方に滑り、軒樋カバー水下端部Ｋ４の最下端は、下辺傾斜部２２１に沿って直線を描いて移動する（図４（ハ）の破線参照）。このため、下辺傾斜部２２１と軒樋Ｎの縁部分との間は、軒樋カバー水下端部Ｋ４の水切りの長さ分あれば軒樋カバー水下端部Ｋ４が通過できるので、軒樋カバー水下端部Ｋ４の水切りの長さに遊びを加えた分を見込んで設定すればよい。このため、軒樋カバー水下端部Ｋ４が弧を描いて移動するように設定する場合よりも、狭い幅にすることができる。
【００１６】
前述したとおり、図２０のように軒樋カバーの前方下部と軒樋の縁部分との間（軒樋への雨水の入水口）が広いと、雀等が軒樋Ｎ内に巣を作ることがあり、それを防ぐために軒樋カバーの前方下部と軒樋の縁部分との間はできるだけ狭くしたい。
本実施例はこの要望に応えるものであり、下辺傾斜部を設けない場合に比べ、軒樋カバーの前方下部と軒樋の縁部分との間を狭くすることができ、軒樋カバーの前方下部と軒樋の縁部分との間を８mm以下に設定することが可能である。
一例として、軒樋カバーの前方下部と軒樋の縁部分との間（軒樋への雨水の入水口）を８mmに設定すると、成熟した雀の侵入を阻みながらも雨水の流入を好適に行うことができる。
【００１７】
さらに本実施例は、水下側方向から軒樋カバーＫを軒樋カバー固定具１に取り付けることができるという利点もある。その様子を表しているのが図５である。
図５（イ）のように、軒樋カバー固定具１の下辺傾斜部２２１に軒樋カバーＫの軒樋カバー水下端部Ｋ４を沿わせながら（図５（ロ）参照）、はめ込んでいく。その後、図５（ハ）（ニ）のように、軒樋カバー後端Ｋ３を軒樋カバー後端係止部２３にはめ込み、固定する。
施工現場や作業者によっては、軒樋カバー固定具１に軒樋カバーＫを取り付ける際、手前から取り付けたいという場合があるが、本実施例はその要望にも応えることができるものである。
【００１８】
図６と図７は、第一実施例の軒樋カバー係止辺２の他の実施形態を表す図である。
前述の軒樋カバー係止辺２は面を有する形状であったが、図８と図９に示した軒樋カバー係止辺２は面を有していない。
本発明にかかる軒樋カバー固定具の軒樋カバー係止辺は、このように面を有していないものであっても良いことを示す一例である。
【実施例２】
【００１９】
本発明第二実施例について、図８〜図１２に基づいて説明する。
図８と図９は軒樋カバー固定具１の斜視図であり、図８は左側面側から見たところ、図９は右側面側から見たところである。図１０は、軒樋カバー固定具１に軒樋カバーＫを取り付けた状態の説明図である。この軒樋カバー固定具１を取り付けた下には軒樋Ｎが軒樋吊り部５で鼻隠しＨに取り付けられる一例を示している。ここに示す軒樋吊り部５の構成は一例にすぎず、当業者であれば状況に応じて設計変更を加えていくことができる。図１１と図１２は軒樋カバー固定具１に軒樋カバーＫを被せていく様子を表す図である。
【００２０】
図８、図９、図１０に見られるように、この第二実施例の軒樋カバー固定具１は、第一実施例の軒樋カバー固定具１の下辺傾斜部２２１を、下辺くぼみ部２２２としたものであり、その他の構成は第一実施例と同じである。
第一実施例の軒樋カバー係止辺２の下辺部２２は、先端部２１２から内側下方に傾斜している下辺傾斜部２２１であったが、第二実施例の下辺部２２は、先端部２１２から内側下方に傾斜しながらも凹状に形成されている下辺くぼみ部２２２となっている。
【００２１】
このように構成された軒樋カバー固定具１に軒樋カバーＫを取り付ける様子を図１１に基づいて説明する。
軒樋カバーＫを軒樋カバー固定具１にはめる際、図１１（イ）のように軒樋カバー後端Ｋ３を軒樋カバー後端係止部２３に引っ掛ける。そして、軒樋カバーＫを軒樋カバー固定具１にはめるために上から押すと、軒樋カバー水下端部Ｋ４は上辺部２１に沿って移動し、軒樋カバー水下端部Ｋ４が軒樋カバー係止辺２の先端部２１２に達した（図１１（ロ））後、スプリングバックの力で軒樋カバーＫは元の状態に戻りながら下辺くぼみ部２２２に沿って斜め下方に滑り（図１１（ハ））軒樋カバー係止辺の下辺くぼみ部２２２に被さる（図１１（ニ））。
【００２２】
このように構成された第二実施例は、第一実施例に記載した効果を達成する。さらに、本実施例は、第一実施例の下辺傾斜部２２１を下辺くぼみ部２２２にしたため、水下方向から軒樋カバーＫを軒樋カバー固定具１に取り付ける際、一層作業がしやすいという効果がある。
その様子を図１２から説明する。
図１２（イ）のように、軒樋カバー固定具１の下辺くぼみ部２２２に軒樋カバーＫの軒樋カバー水下端部Ｋ４を沿わせて移動させ、図１２（ロ）のように軒樋カバー水下端部Ｋ４が下辺くぼみ部２２２の中央辺りに来たとき、矢印方向へ軒樋カバーＫを押し、そのまま軒樋カバーＫを軒樋カバー固定具１に押しつけることで、図１２（ハ）のように軒樋カバー固定具１に軒樋カバーＫを取り付ける。
図１２（ロ）に見られるように、軒樋カバー水下端部Ｋ４が下辺くぼみ部２２２の中央辺りに来たとき、軒樋カバー後端Ｋ３は下辺くぼみ部２２２がくぼんでいる分だけ水上側に位置する。このため、矢印方向へ軒樋カバーＫを押すことで、軒樋カバー後端Ｋ３が軒樋カバー後端係止部２３にはまりやすくなる。それで、水下方向から軒樋カバーＫを軒樋カバー固定具１に取り付ける際、一層作業がしやすいという効果がある。
【実施例３】
【００２３】
本発明第三実施例について、図１３〜図１９に基づいて説明する。
この実施例は、軒樋カバー固定具１に軒樋吊り部５を形成して軒樋カバーＫと軒樋Ｎとを取り付けることができるようにし、また、軒樋カバー固定具１に角度調整固定具６を組み合わせて、鼻隠しの勾配に対応することができるようにした一実施例である。ここに示す軒樋吊り部５及び角度調整固定具６の構成は一例にすぎず、当業者であれば状況に応じて設計変更を加えていくことができる。
図１３は軒樋カバー固定具１に軒樋カバーＫと軒樋Ｎとを取り付けた状態の説明図、図１４は軒樋カバー固定具１の分解斜視図、図１５と図１６は軒樋カバー固定具１の斜視図であり、図１５は右側面側から見たところ、図１６は左側面側から見たところである。図１７は、軒樋カバー固定具１の説明図で、図１８と図１９は軒樋カバー固定具１に軒樋カバーＫを被せていく様子を表す図である。
【００２４】
本実施例の軒樋カバー固定具１の軒樋カバー係止辺２の構成について説明する。
この軒樋カバー係止辺２は、第一実施例の上辺部２１の湾曲している部分を先端部２１２にかけて、さらに下方に傾斜させて、上辺傾斜部２１１を形成したものである。他は、第一実施例の軒樋カバー係止辺２と同じ構成で、先端部２１２から斜め内側下方に傾斜している下辺傾斜部２２１と水上側端部には軒樋カバー後端係止部２３が形成されている。
その軒樋カバー固定具１の下部に軒樋吊り部５を形成することで、軒樋Ｎを取り付けることができるようにしたもので、軒樋固定部材５１が回動自在に取り付けられている（図１７参照）。
図１３に見られるように、軒樋吊り部５に軒樋Ｎを吊り、軒樋固定部材５１を回動させて、軒樋固定部材５１で軒樋Ｎの縁部分を固定する。このようにして軒樋Ｎを取り付ける。
【００２５】
また、鼻隠しの勾配に対応することができるように、軒樋カバー固定具１に角度調整固定具６を組み合わせている。この点について図１４、図１６から説明する。
角度調整固定具６の面板部６１は略扇形をしており、鼻隠しＨに止めるための固定部４が面板部６１から略直角に延出して形成されている。
面板部６１には係止長穴６２と軸穴Ｊとが設けられている。係止長穴６２は、鼻隠しの勾配に合わせて軒樋カバー固定具１の角度を調整できるように、弧を描くように設けられている。
軒樋カバー固定具１の面部３には係止穴３１と軸穴Ｊとが設けられていて、軒樋カバー固定具１に角度調整固定具６を組み合わせた時に、軒樋カバー固定具１の係止穴３１に角度調整固定具６の係止長穴６２が、軒樋カバー固定具１の軸穴Ｊに角度調整固定具６の軸穴Ｊがそれぞれ対応する位置に設けられている。
このように構成された軒樋カバー固定具１の軸穴Ｊと角度調整固定具６の軸穴Ｊとを合わせて、軸ピンＪ１を通して組み合わせる。この実施例においては、軸ピンＪ１としてリベットが用いられており、リベットをかしめることで回動自在に組み合わせる。リベットの代わりにボルトを用い、ナットを締めることで回動自在に組み合わせてもよい。
そして、軒樋カバー固定具１の係止穴３１に角度調整固定具６の係止長穴６２を合わせ、係止ピンＪ２を通して固定する。この実施例においては、係止ピンＪ２としてボルトが用いられており、ナットを締めることで固定する。こうして、軒樋カバー固定具１と角度調整固定具６とが組み合わせられる。
これを鼻隠しＨに固定するが、角度調整固定具６の固定部４を鼻隠しＨに止着具等で固定する。その後、前述の通り、軒樋Ｎの縁部分を軒樋吊り部５に引っ掛け、軒樋固定部材５１を回動させて、軒樋固定部材５１で軒樋Ｎの縁部分を固定することで、軒樋Ｎを軒樋カバー固定具１に取り付ける。
【００２６】
このように構成された第三実施例は、第一実施例に記載した効果を達成する。さらに、上辺傾斜部２１１を設けるタイプの実施例であるため、次のような効果もある。その点について図１８から説明する。
【００２７】
軒樋カバーＫを軒樋カバー固定具１にはめる際、図１８（イ）のように軒樋カバー後端Ｋ３を軒樋カバー後端係止部２３に引っ掛ける。そして、軒樋カバーＫを軒樋カバー固定具１にはめるために上から押すと、軒樋カバー水下端部Ｋ４は上辺傾斜部２１１に沿って斜め下方に滑り（図１８（ロ））、軒樋カバー水下端部Ｋ４が軒樋カバー係止辺２の先端部２１２に達した（図１８（ハ））後、スプリングバックの力で軒樋カバーＫは元の状態に戻りながら、軒樋カバー水下端部Ｋ４が軒樋カバー係止辺の下辺傾斜部２２１を滑り（図１８（ニ））、軒樋カバー固定具１に被さる（図１８（ホ））。
【００２８】
このように、上辺傾斜部２１１が形成されているため、軒樋カバーＫを上から押すことで、軒樋カバー水下端部Ｋ４は上辺傾斜部２１１に沿って斜め下方に滑りながら軒樋カバー湾曲部Ｋ２は徐々に大きく開き、軒樋カバー水下端部Ｋ４が先端部２１２に達した後、スプリングバックの力で軒樋カバーは元の状態に戻りながら軒樋カバー係止辺の下辺部２２に被さる。
【００２９】
要望により、軒樋カバー前方に形成されている軒樋カバー湾曲部Ｋ２を意匠上小さい湾曲にしたい場合、該湾曲部は、湾曲部が大きく形成されたものよりも開きにくくなる。また、剛性がより高い材質の軒樋カバーを用いた場合も、該湾曲部は、剛性がより低い材質の軒樋カバーよりも開きにくくなる。
要望により軒樋カバー湾曲部Ｋ２を小さい湾曲にし、上辺傾斜部２１１を設けない場合、軒樋カバーＫを軒樋取り付け金具にはめる際、軒樋カバー後端Ｋ３を軒樋カバー後端係止部２３に引っ掛けてから、軒樋カバー水下端部Ｋ４を軒樋取り付け金具の前方にはめるとき、単に上から押すと、軒樋カバー前方に形成されている軒樋カバー湾曲部Ｋ２が小さい湾曲であるため、開きにくく、水上方向に曲がってしまうことがある。
そこで軒樋カバー水下端部Ｋ４をつかんで手前に引っ張って軒樋カバー湾曲部Ｋ２を開いた状態にしながら軒樋カバー固定具１にはめる。
しかし、軒樋カバー湾曲部Ｋ２がより小さい湾曲であると、軒樋カバー水下端部Ｋ４を引っ張るために、より力が必要である。また、手で引っ張るため、作業中に指を挟んでしまうこともある。その上、軒樋カバーＫの長さは長いため、一人で施工することは大変な作業となってしまう。
加えて、軒樋カバー水下端部Ｋ４を引っ張る際に軒樋カバーＫを変形させてしまう可能性もある。
【００３０】
これに対し、第三実施例は、前述の通り、上辺傾斜部２１１が形成されているため、軒樋カバーＫを上から押すことで、軒樋カバー水下端部Ｋ４は上辺傾斜部２１１に沿って斜め下方に滑りながら軒樋カバー湾曲部Ｋ２は徐々に大きく開き、軒樋カバー水下端部Ｋ４が先端部２１２に達した後、スプリングバックの力で軒樋カバーは元の状態に戻りながら軒樋カバー係止辺の下辺部２２に被さる。
このため、軒樋カバー湾曲部Ｋ２をより小さい湾曲にした場合や、剛性がより高い材質の軒樋カバーを用いた場合でも、軒樋カバーを軒樋カバー固定具にはめる作業をより容易に行なえるものである。
【００３１】
また、第一実施例同様、水下側方向から軒樋カバーＫを軒樋カバー固定具１に取り付けることができるという利点もある。その様子を表しているのが図１９である。
図１９（イ）のように、軒樋カバー固定具１の下辺傾斜部２２１に軒樋カバーＫの軒樋カバー水下端部Ｋ４を沿わせながら、図１９（ロ）のようにはめ込んでいく。その後、図１９（ハ）（ニ）のように、軒樋カバー後端Ｋ３を軒樋カバー後端係止部２３にはめ込み、図１９（ホ）のように固定することができる。
施工現場や作業者によっては、軒樋カバー固定具１に軒樋カバーＫを取り付ける際、手前から取り付けたいという場合があるが、本実施例もその要望にも応えることができるものである。
【図面の簡単な説明】
【００３２】
【図１】本発明第一実施例の軒樋カバー固定具１の斜視図である。
【図２】本発明第一実施例の軒樋カバー固定具１の斜視図である。
【図３】本発明第一実施例の軒樋カバー固定具１に軒樋カバーＫを取り付けた状態の説明図である。
【図４】本発明第一実施例の軒樋カバー固定具１に軒樋カバーＫを被せていく様子を表す図である。
【図５】本発明第一実施例の軒樋カバー固定具１に軒樋カバーＫを被せていく様子を表す図である。
【図６】本発明第一実施例の軒樋カバー係止辺２の他の実施形態を表す図である。
【図７】本発明第一実施例の軒樋カバー係止辺２の他の実施形態を表す図である。
【図８】本発明第二実施例の軒樋カバー固定具１の斜視図である。
【図９】本発明第二実施例の軒樋カバー固定具１の斜視図である。
【図１０】本発明第二実施例の軒樋カバー固定具１に軒樋カバーＫを取り付けた状態の説明図である。
【図１１】本発明第二実施例の軒樋カバー固定具１に軒樋カバーＫを被せていく様子を表す図である。
【図１２】本発明第二実施例の軒樋カバー固定具１に軒樋カバーＫを被せていく様子を表す図である。
【図１３】本発明第三実施例の軒樋カバー固定具１に軒樋カバーＫと軒樋Ｎとを取り付けた状態の説明図である。
【図１４】本発明第三実施例の軒樋カバー固定具１の分解斜視図である。
【図１５】本発明第三実施例の軒樋カバー固定具１の斜視図である。
【図１６】本発明第三実施例の軒樋カバー固定具１の斜視図である。
【図１７】本発明第三実施例の軒樋カバー固定具１の説明図である。
【図１８】本発明第三実施例の軒樋カバー固定具１に軒樋カバーＫを被せていく様子を表す図である。
【図１９】本発明第三実施例の軒樋カバー固定具１に軒樋カバーＫを被せていく様子を表す図である。
【図２０】従来の技術を表す図である。
【図２１】従来の技術の説明図である。
【符号の説明】
【００３３】
１      軒樋カバー固定具                        
２      軒樋カバー係止辺
２１    上辺部
２１１  上辺傾斜部
２１２  先端部
２２    下辺部
２２１  下辺傾斜部
２２２  下辺くぼみ部
２３    軒樋カバー後端係止部
２４    軒樋カバー前端係止部
３      面部
３１    係止穴
４      固定部
５      軒樋吊り部
５１    軒樋固定部材
６      角度調整固定具
６１    面板部
６２    係止長穴
Ｋ      軒樋カバー
Ｋ１    軒樋カバー上面
Ｋ２    軒樋カバー湾曲部
Ｋ３    軒樋カバー後端
Ｋ４    軒樋カバー水下端部
Ｈ      鼻隠し
Ｊ      軸穴
Ｊ１    軸ピン
Ｊ２    係止ピン
Ｎ      軒樋
【図１】
2006328800.tif 000003
【図２】
2006328800.tif 000004
【図３】
2006328800.tif 000005
【図４】
2006328800.tif 000006
【図５】
2006328800.tif 000007
【図６】
2006328800.tif 000008
【図７】
2006328800.tif 000009
【図８】
2006328800.tif 000010
【図９】
2006328800.tif 000011
【図１０】
2006328800.tif 000012
【図１１】
2006328800.tif 000013
【図１２】
2006328800.tif 000014
【図１３】
2006328800.tif 000015
【図１４】
2006328800.tif 000016
【図１５】
2006328800.tif 000017
【図１６】
2006328800.tif 000018
【図１７】
2006328800.tif 000019
【図１８】
2006328800.tif 000020
【図１９】
2006328800.tif 000021
【図２０】
2006328800.tif 000022
【図２１】
2006328800.tif 000023